(57)【要約】【課題】不在設定や就寝設定等にあたり、これらの機能に対応する複数の操作ボタンを一度の操作で選択する。【解決手段】玄関子機からの呼出でインターホン居室親機で放音された呼出音に応じて応答することにより玄関子機とインターホン居室親機間で通話を行なう呼出・通話基本機能を有し、インターホン居室親機はその正面パネル２０上に、玄関子機からの音声を録音開始する機能を実行する録音ボタン７５、玄関錠を解錠する機能を実行する玄関錠解錠ボタン７３、訪問者の伝言を公衆回線へ転送する機能を実行する転送設定ボタン７４、窓センサーで窓の不正開放を検知する機能を実行する窓センサー起動ボタン７６、赤外線センサーで侵入者の動作を検知する機能を実行する赤外線センサー起動ボタン７７、玄関子機からの呼出音量を調整する機能を実行する音量ボタン７８等の操作ボタン７と、操作ボタンをＯＮ、ＯＦＦし、視覚的に認識されるボタン操作遮蔽プレート９とを備える。【選択図】図２
2005217724.tif 000002
【特許請求の範囲】
【請求項１】
玄関子機（１ａ、１ｂ）からの呼出でインターホン居室親機（２）で放音された呼出音に応じて応答することにより前記玄関子機と前記インターホン居室親機間で通話を行なう呼出・通話基本機能を有し、
前記インターホン居室親機はその正面パネル（２０）上に、前記玄関子機からの音声を録音開始する機能を実行する録音ボタン（７５）、玄関錠（４ａ、４ｂ）を解錠する機能を実行する玄関錠解錠ボタン（７３）、前記訪問者の伝言を公衆回線へ転送する機能を実行する転送設定ボタン（７４）、窓センサー（５ａ、５ｂ、５ｃ）で窓の不正開放を検知する機能を実行する窓センサー起動ボタン（７６）、赤外線センサー（６ａ、６ｂ、６ｃ）で侵入者の動作を検知する機能を実行する赤外線センサー起動ボタン（７７）、前記玄関子機からの呼出音量を調整する機能を実行する音量ボタン（７８）等の操作ボタン（７）と、前記操作ボタンをＯＮ、ＯＦＦし、視覚的に認識されるボタン操作遮蔽プレート（９）とを備えたことを特徴とするインターホンシステム。
【請求項２】
前記ボタン操作遮蔽プレートは、前記操作ボタンのうち選択された操作ボタンをＯＮ操作する突起（９１、９２、９３、９４、９５）を有し前記正面パネルに取り外し自在に固定されることを特徴とする請求項１記載のインターホンシステム。
【請求項３】
前記ボタン操作遮蔽プレートは、前記操作ボタンのうち選択された操作ボタンを遮蔽する遮蔽部（９１ａ、９２ａ、９３ａ、９４ａ、９５ａ）を有し、
前記インターホン居室親機は前記遮蔽部を検出して前記操作ボタンをＯＮさせるための光センサー、接触センサー等のセンサー（７４ａ、７５ａ、７６ａ、７７ａ、７８ａ）を備えることを特徴とする請求項１記載のインターホンシステム。
【請求項４】
前記ボタン操作遮蔽プレートは、布状の材質からなり、前記インターホン居室親機の裏面に巻き取られる構造であることを特徴とする請求項３記載のインターホンシステム。
【請求項５】
前記ボタン操作遮蔽プレートは、板状の材質からなり、前記インターホン居室親機の裏面に収納される構造であることを特徴とする請求項２又は請求項３記載のインターホンシステム。
【請求項６】
前記ボタン操作遮蔽プレート上には、不在設定、就寝設定等の機能設定中であることを明らかにするための文字あるいは絵表示で示されることを特徴とする請求項１乃至請求項５の何れか１項記載のインターホンシステム。
【請求項７】
不在設定にあたり、前記ボタン操作遮蔽プレートは、前記録音ボタン、前記窓センサー起動ボタン、前記赤外線センサー起動ボタン、前記転送設定ボタンを選択操作することを特徴とする請求項１乃至請求項６の何れか１項記載のインターホンシステム。
【請求項８】
就寝設定にあたり、前記ボタン操作遮蔽プレートは、前記録音ボタン、前記窓センサー起動ボタン、前記音量ボタンを選択操作することを特徴とする請求項１乃至請求項６の何れか１項記載のインターホンシステム。
【発明の詳細な説明】
【技術分野】
【０００１】
本発明は、インターホンシステムに係わり、特に居住者が不在にする場合、録音ボタン、窓センサー起動ボタン、赤外線センサー起動ボタンおよび転送設定ボタン等を一度に選択操作し得るインターホン居室親機を備えたインターホンシステムに関する。
【背景技術】
【０００２】
従来から、この種のインターホンシステムとして、玄関子機からの呼出でインターホン居室親機で放音された呼出音に応じて応答することにより玄関子機とインターホン居室親機間で通話を行なうようなものが知られている（例えば、非特許文献１参照）。
【０００３】
このインターホン居室親機には、その正面パネル上に、玄関子機からの音声を録音開始する機能を実行する録音ボタン、玄関錠を解錠する機能を実行する玄関錠解錠ボタン、訪問者の伝言を公衆回線へ転送する機能を実行する転送設定ボタン、窓センサーで窓の不正開放を検知する機能を実行する窓センサー起動ボタン、赤外線センサーで侵入者の動作を検知する機能を実行する赤外線センサー起動ボタンおよび玄関子機からの呼出音量を調整する機能を実行する音量ボタン等の複数の操作ボタンが設けられている。
【０００４】
しかしながら、このようなインターホンシステムにおいては、玄関子機からの音声を録音開始する機能、窓センサーで窓の不正開放を検知する機能、若しくは赤外線センサーで侵入者の動作を検知する機能等がそれぞれ録音ボタン、窓センサー起動ボタン、若しくは赤外線センサー起動ボタン等の個々の操作ボタンに割り当てられているので、居住者が不在にする場合や就寝する場合においては、不在設定機能や就寝設定機能に対応する複数の操作ボタンをその都度個別に選択操作しなければならないという難点があった。
【０００５】
【非特許文献１】（アイホン株式会社  ２００３／２００４年版  総合カタログ  １４〜１５頁）
【発明の開示】
【発明が解決しようとする課題】
【０００６】
本発明は、このような難点を解決するためになされたもので、不在設定や就寝設定等にあたり、これらの機能に対応する複数の操作ボタンを一度の操作で選択することができるインターホンシステムを提供することを目的としている。
【課題を解決するための手段】
【０００７】
本発明の第１の態様であるインターホンシステムは、玄関子機からの呼出でインターホン居室親機で放音された呼出音に応じて応答することにより玄関子機とインターホン居室親機間で通話を行なう呼出・通話基本機能を有し、インターホン居室親機は、その正面パネル上に、玄関子機からの音声を録音開始する機能を実行する録音ボタン、玄関錠を解錠する機能を実行する玄関錠解錠ボタン、訪問者の伝言を公衆回線へ転送する機能を実行する転送設定ボタン、窓センサーで窓の不正開放を検知する機能を実行する窓センサー起動ボタン、赤外線センサーで侵入者の動作を検知する機能を実行する赤外線センサー起動ボタン、玄関子機からの呼出音量を調整する機能を実行する音量ボタン等の操作ボタンと、操作ボタンをＯＮ、ＯＦＦし、視覚的に認識されるボタン操作遮蔽プレートとを備えたものである。
【０００８】
本発明の第２の態様は、本発明の第１の態様であるインターホンシステムにおいて、ボタン操作遮蔽プレートは、操作ボタンのうち選択された操作ボタンをＯＮ操作する突起を有し正面パネルに取り外し自在に固定されるものである。
【０００９】
本発明の第３の態様は、本発明の第１の態様であるインターホンシステムにおいて、ボタン操作遮蔽プレートは、操作ボタンのうち選択された操作ボタンを遮蔽する遮蔽部を有し、インターホン居室親機は遮蔽部を検出して操作ボタンをＯＮさせるための光センサー、接触センサー等のセンサー７ａを備えるものである。
【００１０】
本発明の第４の態様は、本発明の第３の態様であるインターホンシステムにおいて、ボタン操作遮蔽プレートは、布状の材質からなり、インターホン居室親機の裏面に巻き取られる構造である。
【００１１】
本発明の第５の態様は、本発明の第２の態様または第３の態様であるインターホンシステムにおいて、ボタン操作遮蔽プレートは、板状の材質からなり、インターホン居室親機の裏面に収納される構造である。
【００１２】
本発明の第６の態様は、本発明の第１の態様乃至第５の態様であるインターホンシステムにおいて、ボタン操作遮蔽プレート上には、不在設定、就寝設定等の機能設定中であることを明らかにするための文字あるいは絵表示で示されるものである。
【００１３】
本発明の第７の態様は、本発明の第１の態様乃至第６の態様であるインターホンシステムにおいて、不在設定にあたり、ボタン操作遮蔽プレートは、録音ボタン、窓センサー起動ボタン、赤外線センサー起動ボタン、転送設定ボタンを選択操作するものである。
【００１４】
本発明の第８の態様は、本発明の第１の態様乃至第６の態様であるインターホンシステムにおいて、就寝設定にあたり、ボタン操作遮蔽プレートは、録音ボタン、窓センサー起動ボタン、音量ボタンを選択操作するものである。
【発明の効果】
【００１５】
本発明の第１の態様乃至第８の態様のインターホンシステムによれば、複数の操作ボタンのうち選択された操作ボタンをＯＮ、ＯＦＦし得るボタン操作遮蔽プレートを備えていることから、不在設定や就寝設定等にあたり、複数の操作ボタンを一度の操作で選択することができ、かつ上記設定中の状態であることを確実に視認することができる。
【発明を実施するための最良の形態】
【００１６】
以下、本発明のインターホンシステムを適用した実施の形態例について、図面を参照して詳述する。ここで、図１は、本発明のインターホンシステムのブロック図を示している。
【００１７】
図１において、本発明のインターホンシステムは、戸建住宅や集合住宅の玄関に設置される第１、第２の玄関子機１ａ、１ｂと、戸建住宅や集合住宅内に設置されるインターホン居室親機２および第１、第２、第３の増設親機３ａ、３ｂ、３ｃと、各玄関のドアなどに設置される第１、第２の玄関錠４ａ、４ｂと、住戸の窓などの近傍に設置され窓の不正開放を検知する第１、第２、第３の窓センサー５ａ、５ｂ、５ｃと、玄関などに設置され侵入者の動作を検知する第１、第２、第３の赤外線センサー６ａ、６ｂ、６ｃとを備えている。ここで、インターホン居室親機２は、第１の伝送路Ｌ１を介して第１、第２、第３の増設親機３ａ、３ｂ、３ｃに、第２の伝送路Ｌ２を介して第１、第２の玄関子機１ａ、１ｂに、第３の伝送路Ｌ３を介して第１、第２、第３の窓センサー５ａ、５ｂ、５ｃに、第４の伝送路Ｌ４を介して第１、第２、第３の赤外線センサー６ａ、６ｂ、６ｃにそれぞれ接続され、第１、第２の玄関子機１ａ、１ｂにはそれぞれ第５の伝送路Ｌ５を介して対応する第１、第２の玄関錠４ａ、４ｂが接続されている。
【００１８】
インターホン居室親機２は、マイクとレシーバから成る送受話器（不図示）を備える送受話回路２１と、録音録画装置２２と、呼出音・警報音発生回路２３と、公衆回線転送装置２４と、各部（回路）を制御するＣＰＵ２５と、後述する各種の操作ボタン７とを備えている。
【００１９】
ここで、ＣＰＵ２５は、送受話回路２１、録音録画装置２２、呼出音・警報音発生回路２３、公衆回線転送装置２４および各種の操作ボタン７、第３の伝送路Ｌ３を介して第１、第２、第３の窓センサー５ａ、５ｂ、５ｃおよび第４の伝送路Ｌ４を介して第１、第２、第３の赤外線センサー６ａ、６ｂ、６ｃに接続され、送受話回路２１には第1、第２の伝送路Ｌ１、Ｌ２が、録音録画装置２２および呼出音・警報音発生回路２３には第２の伝送路Ｌ２が公衆回線転送装置２４には第６の伝送路Ｌ６を介して公衆回線、インターネット等の外部回線がそれぞれ接続されている。
【００２０】
図２は、インターホン居室親機２の正面パネルの正面図を示している。同図において、インターホン居室親機２は、前述の送受話回路２１、録音録画装置２２、呼出音・警報音発生回路２３、公衆回線転送装置２４およびＣＰＵ２５等の各部（回路）を収容する筐体（不図示）と、筐体の前面を覆う正面パネル２０と、正面パネル２０の前面に例えば固定部材８ａ、８ｂを介して取り外し自在に固定され、操作ボタン７をＯＮ、ＯＦＦし得るボタン操作遮蔽プレート９とを備えている。また、正面パネル２０は、第１、第２、第３の増設親機３ａ、３ｂ、３ｃをそれぞれ選択する機能を実行する第１、第２、第３の選択ボタン７１ａ、７１ｂ、７１ｃと、第１、第２の玄関子機１ａ、１ｂをそれぞれ選択してモニタする機能を実行する第１、第２のモニタボタン７２ａ、７２ｂと、第１、第２の玄関錠４ａ、４ｂを解錠する機能を実行する玄関錠解錠ボタン７３と、訪問者の伝言を公衆回線へ転送する機能を実行する転送設定ボタン７４と、第１、第２の玄関子機１ａ、１ｂからの音声を録音開始する機能を実行する録音ボタン７５と、第１、第２、第３の窓センサー５ａ、５ｂ、５ｃで窓の不正開放を検知する機能を実行する窓センサー起動ボタン７６と、第１、第２、第３の赤外線センサー６ａ、６ｂ、６ｃで侵入者の動作を検知する機能を実行する赤外線センサー起動ボタン７７と、第１、第２の玄関子機１ａ、１ｂからの呼出音量を調整する機能を実行する音量ボタン７８とを備えている。
【００２１】
図３は、ボタン操作遮蔽プレート９の裏面図を示している。同図において、ボタン操作遮蔽プレート９は、硬質の合成樹脂板等の板状のプレートなどで構成され、このプレートの裏面には、例えば正面パネル２０の転送設定ボタン７４、録音ボタン７５、窓センサー起動ボタン７６および赤外線センサー起動ボタン７７に対応する位置に第１〜第４の突起９１〜９４が離間して設けられている。なお、このボタン操作遮蔽プレート９は、不使用時においては、インターホン居室親機２の裏面に収納されている。
【００２２】
次に、このように構成された本発明のインターホンシステムの動作について説明する。なお、（１）例えば来訪者が第１の玄関子機１ａから呼出操作を行うと、第１の玄関子機１ａに設けられたカメラ（不図示）によって来訪者の映像が撮像され、撮像された来訪者の映像がインターホン居室親機２のモニタ（不図示）で表示され、かつ呼出音・警報音発生回路２３が作動して居室親機スピーカから呼出音が放音し、インターホン居室親機２の送受話器を取り上げると、呼出音が停止して第１の玄関子機１ａとの通話が可能となる点、（２）また、居住者が例えば第１の玄関子機１ａに係る来訪者と通話中に解錠ボタン７３を操作すると、第１の玄関子機１ａに対応する第１の玄関錠４ａが解錠される点、（３）居住者が外出時に録音ボタン７５を操作すると、例えば第１の玄関子機１ａに係る来訪者から呼出があった際に通話の内容が録音される点、（４）居住者が外出時に転送設定ボタン７４を操作すると、例えば第１の玄関子機１ａから呼出操作が行なわれた場合において、第１の玄関子機１aからの呼出が第６の伝送路L６および公衆回線を通じて予め登録した電話（緊急連絡用の電話等）に通知される点、（５）例えば第１の窓センサー５ａが稼動状態にあり、かかる第１の窓センサー５ａが異常を検知すると、当該異常が第６の伝送路L６および公衆回線を通じて予め登録された電話に通知される点、（６）例えば第１の赤外線センサー６ａが稼動状態にあり、かかる第１の赤外線センサー６ａが異常を検知すると、当該異常が第６の伝送路L６および公衆回線を通じて予め登録された電話に通知される点、（７）窓センサー起動ボタン７６を操作すると、例えば第１の窓センサー５ａが稼動状態になり、かかる第１の窓センサー５ａが異常を検知すると呼出音・警報音発生回路２３が作動して居室親機スピーカから警報音を発報する点、（８）赤外線センサー起動ボタン７７を操作すると、例えば第１の赤外線センサー６ａが稼動状態になり、かかる第１の赤外線センサー６ａが異常を検知すると呼出音・警報音発生回路２３が作動して居室親機スピーカから警報音を発報する点、（９）呼出音量ボタン７８を操作すると、呼出音量を調節、若しくは消音できる点は、従来のインターホンシステムと同様であることから詳細な説明を省略する。
【００２３】
先ず、居住者が外出する場合は、インターホン居室親機２の裏面などに収納しておいたボタン操作遮蔽プレート９を取り出し、このボタン操作遮蔽プレートの裏面をインターホン居室親機２の正面パネル２０側に向けて、第１、第２の固定部材８ａ、８ｂを介してワンタッチで取り外し自在に固定する。これにより、ボタン操作遮蔽プレート９の裏面に設けられた第１の突起９１で転送設定ボタン７４が、第２の突起９２で録音ボタン７５が、第３の突起９３で窓センサー起動ボタン７６が、第４の突起９４で赤外線センサー起動ボタン７７がそれぞれ押下されることになる。
【００２４】
従って、この実施例においては、不在設定にあたり、ボタン操作遮蔽プレート９を正面パネル２０に固定することのみで、不在設定に必要な複数の操作ボタンを一度で選択操作することができる。
【００２５】
図４は、ボタン操作遮蔽プレート９ａの他の実施例を示している。なお、同図において、図３と共通する部分には同一の符号を付して詳細な説明を省略する。
【００２６】
この実施例においては、ボタン操作遮蔽プレート９ａの裏面に、例えば正面パネル２０の録音ボタン７５、窓センサー起動ボタン７６および音量ボタン７８に対応する位置にそれぞれ第２、第３、第５の突起９２、９３、９５が離間して設けられている。
【００２７】
この実施例においては、図４に示すボタン操作遮蔽プレート９ａの裏面を前述と同様にしてインターホン居室親機２の正面パネル２０側に向けてワンタッチで取り外し自在に固定すれば、第２の突起９２で録音ボタン７５が、第３の突起９３で窓センサー起動ボタン７６が、第５の突起９５で音量ボタン７８がそれぞれ押下されることになる。
【００２８】
従って、この実施例においても、居住者が就寝設定にあたり、必要な複数の操作ボタンを一度で選択操作することができる。
【００２９】
図５は、正面パネル２０ａの他の実施例、図６はボタン操作遮蔽プレート９ｂの他の実施例を示している。なお、同図において、図２および図３と共通する部分には同一の符号を付して詳細な説明を省略する。
【００３０】
図５において、正面パネル２０ａは、図２に示す操作ボタン７のうち、転送設定ボタン７４、録音ボタン７５、窓センサー起動ボタン７６、赤外線センサー起動ボタン７７および音量ボタン７８をＯＮさせるための光センサーや接触センサー等から成る第１〜第５のセンサー７４ａ〜７８ａがそれぞれ転送設定ボタン７４、録音ボタン７５、窓センサー起動ボタン７６、赤外線センサー起動ボタン７７および音量ボタン７８の直上に設けられており、また、ボタン操作遮蔽プレート９ｂには、図６に示すように、例えば、第１〜第５のセンサー７４a〜７８ａに対応する位置に第１〜第５の遮蔽部９１ａ〜９５ａが設けられている。
【００３１】
この実施例においては、図６に示すボタン操作遮蔽プレート９ｂを前述と同様にしてインターホン居室親機２の正面パネル２０ａにワンタッチで取り外し自在に固定すれば、第１の遮蔽部９１ａで第１のセンサー７４aが、第２の遮蔽部９２ａで第２のセンサー７５aが、第３の遮蔽部９３ａで第３のセンサー７６aが、第４の遮蔽部９４ａで第４のセンサー７７aが、第５の遮蔽部９５ａで第５のセンサー７８aがそれぞれ遮蔽され、かかる遮蔽が第１〜第５のセンサー７４a〜７８ａによって検出され、ひいては、転送設定ボタン７４、録音ボタン７５、窓センサー起動ボタン７６、赤外線センサー起動ボタン７７および音量ボタン７８がＯＮされることになる。
【００３２】
従って、この実施例においても、居住者がボタン操作遮蔽プレート９ｂ正面パネル２０ａにワンタッチで取り外し自在に固定することで、必要な複数の操作ボタンを一度で選択操作することができる。
【産業上の利用可能性】
【００３３】
前述の実施例においては、ボタン操作遮蔽プレートとして、板状の材質のものを用いた場合について述べているが、布状の材質のものを用いて、インターホン居室親機の裏面に巻き取るようにしてもよい。また、ボタン操作遮蔽プレートの表面には、不在設定、就寝設定等の機能設定中であることを明らかにするための文字あるいは絵などを表示してもよい。さらに、正面パネルには、必要により、玄関子機からの映像を録画開始する機能を実行する録画ボタンを設けてもよい。また、前述の実施例においては、２台の玄関子機、玄関錠、３台の増設親機、窓センサー、赤外線センサーを使用する場合について述べているが、システムの規模に応じてこれらの機器の使用台数を増減してもよい。
【図面の簡単な説明】
【００３４】
【図１】本発明のインターホンシステムのシステム構成図。
【図２】本発明のインターホンシステムにおけるインターホン居室親機の正面図。
【図３】本発明のインターホンシステムにおけるボタン操作遮蔽プレートの正面図。
【図４】本発明のインターホンシステムにおける他の実施例に係るボタン操作遮蔽プレートの正面図。
【図５】本発明のインターホンシステムにおける他の実施例に係るインターホン居室親機の正面図。
【図６】本発明のインターホンシステムにおける他の実施例に係るボタン操作遮蔽プレートの正面図。
【符号の説明】
【００３５】
１ａ、１ｂ・・・玄関子機
２・・・インターホン居室親機
２０・・・正面パネル
４ａ、４ｂ・・・玄関錠
５ａ、５ｂ、５ｃ・・・窓センサー
６ａ、６ｂ、６ｃ・・・赤外線センサー
７・・・操作ボタン
７３・・・玄関錠解錠ボタン
７４・・・転送設定ボタン
７５・・・録音ボタン
７６・・・窓センサー起動ボタン
７７・・・赤外線センサー起動ボタン
７８・・・音量ボタン
７４ａ、７５ａ、７６ａ、７７ａ、７８ａ・・・センサー
９・・・ボタン操作遮蔽プレート
９１、９２、９３、９４、９５・・・突起
９１ａ、９２ａ、９３ａ、９４ａ、９５ａ・・・遮蔽部
【図１】
2005217724.tif 000003
【図２】
2005217724.tif 000004
【図３】
2005217724.tif 000005
【図４】
2005217724.tif 000006
【図５】
2005217724.tif 000007
【図６】
2005217724.tif 000008